Podtech/llm-jp-corpus-v4-ja_patent huggingface dataset:
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
１，１，１，３−テトラクロロプロパン（ＨＣＣ−２５０ｆｂ）を触媒により脱塩酸して１，１，３−トリクロロプロペンおよび／または３，３，３−トリクロロプロペンを製造するプロセスであって、出発材料として、ＨＣＣ−２５０ｆｂを製造するためにＣＣｌ４とエチレンの反応から単離されたＨＣＣ−２５０ｆｂおよび重質分を含む混合物を用い、前記重質分は１種以上のテトラクロロペンタン異性体を含むことを特徴とするプロセス。
【請求項２】
前記脱塩酸の触媒が１種以上の金属ハロゲン化物またはそれらの混合物を含む、請求項１に記載のプロセス。
【請求項３】
前記テトラクロロペンタン異性体が１，１，１，５−テトラクロロペンタンを含む、請求項１に記載のプロセス。
【請求項４】
前記テトラクロロペンタン異性体が１，３，３，５−テトラクロロペンタンを含む、請求項１に記載のプロセス。
【請求項５】
前記出発材料がＨＣＣ−２５０ｆｂおよび１種以上のトリクロロペンテン異性体の混合物を含む、請求項１に記載のプロセス。
【手続補正２】
【補正対象書類名】明細書
【補正対象項目名】００２３
【補正方法】変更
【補正の内容】
【００２３】
なお、以上の記載は本発明の単なる例示に過ぎない。様々な代替および改変が本発明か
ら逸脱することなく当業者によって考案される可能性がある。従って、本発明は添付の特
許請求の範囲内に入るその様な代替、改変および変更を全て含む。
以下に本発明の実施態様を記載する。
（１）１，１，１，３−テトラクロロプロパン（ＨＣＣ−２５０ｆｂ）を触媒により脱塩酸して１，１，３−トリクロロプロペンおよび／または３，３，３−トリクロロプロペンを製造するプロセスであって、出発材料として、ＨＣＣ−２５０ｆｂを製造するためにＣＣｌ４とエチレンの反応から単離されたＨＣＣ−２５０ｆｂおよび重質分を含む混合物を用い、前記重質分は１種以上のテトラクロロペンタン異性体を含むことを特徴とするプロセス。
（２）前記脱塩酸の触媒が１種以上の金属ハロゲン化物またはそれらの混合物を含む、（１）に記載のプロセス。
（３）前記脱塩酸の反応温度を５０℃〜１４０℃の範囲にできる、（２）に記載のプロセス。
（４）前記脱塩酸の反応時間を０．５〜１０時間の範囲にできる、（２）に記載のプロセス。
（５）前記触媒と前記反応物１，１，１，３−テトラクロロプロパンの重量比を０〜５重量％の範囲にできる、（２）に記載のプロセス。
（６）前記出発材料がＨＣＣ−２５０ｆｂおよび１種以上のテトラクロロペンタン異性体の混合物を含む、（１）に記載のプロセス。
（７）前記テトラクロロペンタン異性体が１，１，１，５−テトラクロロペンタンを含む、（６）に記載のプロセス。
（８）前記テトラクロロペンタン異性体が１，３，３，５−テトラクロロペンタンを含む、（６）に記載のプロセス。
（９）前記出発材料がＨＣＣ−２５０ｆｂおよび１種以上のトリクロロペンテン異性体の混合物を含む、（１）に記載のプロセス。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
無線周波数（ＲＦ）電力測定用カロリーメータであって、
ＲＦ入力部に電気的に結合された負荷と；前記ＲＦ入力部は、ＲＦ電源に電気的に結合されており、
前記負荷に電気的に結合され、且つ、前記負荷に低周波電力を印加するように構成された可変低周波電源と、
前記負荷に熱的に結合された熱媒体と、
前記熱媒体に熱的に結合された出口側温度センサと；前記出口側温度センサは、前記負荷によって加熱される前記熱媒体の温度を測定するように配置されており、
前記ＲＦ入力部に電気的に結合された前記ＲＦ電源の電力を演算する電気回路とから構成されており、
前記電気回路は、前記可変低周波電源の可変バイアスを用いた、前記熱媒体の複数回の温度測定に基づいて、前記ＲＦ電源の平均電力を決定することを特徴とするＲＦ電力測定用カロリーメータ。
【請求項２】
前記ＲＦ電源の平均電力の決定は、
前記負荷に対して既知の低周波入力を印加し；前記既知の低周波入力は、所定の電力値を有しており、
前記負荷に対して前記既知の低周波入力を印加した後に、前記熱媒体の第１の出力温度を測定し、
前記既知の低周波入力を印加している間、前記負荷に対して前記ＲＦ電源を印加し、
前記既知の低周波入力及び前記ＲＦ電源を印加している間、前記熱媒体の第２の出力温度を測定し、
前記出力温度が前記第１の出力温度と実質的に同じになるまで、前記熱媒体の前記出力温度を測定しながら、前記既知の低周波入力の電力値を減少させ、
前記出力温度が前記第１の出力温度と実質的に同じになったときの前記既知の低周波入力の電力値を決定し、
前記既知の低周波入力の前記所定の電力値と、前記出力温度が前記第１の出力温度と実質的に同じになったときの前記既知の低周波入力の電力値の差に基づいて、前記ＲＦ電源の電力を演算することを含むものである、請求項１に記載のＲＦ電力測定用カロリーメータ。
【請求項３】
前記可変低周波電源は、交流電圧源である請求項１または２に記載のＲＦ電力測定用カロリーメータ。
【請求項４】
前記可変低周波電源は、直流電圧源である請求項１または２に記載のＲＦ電力測定用カロリーメータ。
【請求項５】
前記熱媒体は、複数の熱媒体流路を通して循環される流体である請求項１乃至４のいずれか１項に記載のＲＦ電力測定用カロリーメータ。
【請求項６】
前記複数の熱媒体流路を流れる前記熱媒体である前記流体の流量が可変である請求項５に記載のＲＦ電力測定用カロリーメータ。
【請求項７】
前記複数の熱媒体流路を流れる前記熱媒体である前記流体の流量を変化させるように構成された、複数の流路からなる流路パス・アレイをさらに備えている請求項６に記載のＲＦ電力測定用カロリーメータ。
【請求項８】
前記流路パス・アレイは、複数の流路と連通した流体スイッチを備えており、
前記流路パス・アレイの前記複数の流路のそれぞれは、異なる長さ、及び／または、水力直径を有する請求項７に記載のＲＦ電力測定用カロリーメータ。
【請求項９】
前記流路パス・アレイの前記複数の流路のそれぞれは、熱媒体ポンプを有する請求項８に記載のＲＦ電力測定用カロリーメータ。
【請求項１０】
前記熱媒体は、熱交換器に熱的に結合された基板である請求項１乃至４のいずれか１項に記載のＲＦ電力測定用カロリーメータ。
【請求項１１】
前記出口側温度センサは、ホイートストンブリッジである請求項１乃至１０のいずれか１項に記載のＲＦ電力測定用カロリーメータ。
【請求項１２】
約１００μＷから約１００ｍＷまでの電力を測定するように構成された請求項１乃至１１のいずれか１項に記載のＲＦ電力測定用カロリーメータ。
【請求項１３】
０Ｈｚに至るまでと１２ＧＨｚを超えた周波数までの電力を測定するように構成された請求項１乃至１２のいずれか１項に記載のＲＦ電力測定用カロリーメータ。
【請求項１４】
さらに非導電性基板を備えており、
前記負荷、及び、前記出力センサは、前記非導電性基板にマイクロファブリケーションされている請求項１乃至１３のいずれか１項に記載のＲＦ電力測定用カロリーメータ。
【請求項１５】
熱媒体と、
低周波電源とを備えており、
前記低周波電源の可変バイアスを用いて、前記熱媒体の複数回の温度測定に基づいて、ＲＦ電源の平均電力を決定するように構成されている、マイクロファブリケーテッド・カロリーメータから構成されたＲＦ電力測定用カロリーメータ。
【請求項１６】
無線周波数（ＲＦ）電力の測定方法であって、
ＲＦ入力部に電気的に結合された負荷を用意し、
前記負荷に熱的に結合された熱媒体を用意し、
前記負荷に対して、既知の低周波入力を印加し；前記既知の低周波入力は、所定の電力値を有しており、
前記負荷に対して前記既知の低周波入力を印加した後に、前記熱媒体の第１の出力温度を測定し、
前記既知の低周波入力を印加している間、前記負荷に対して未知のＲＦ入力を印加し、
前記既知の低周波入力及び前記未知のＲＦ入力を印加している間、前記熱媒体の第２の出力温度を測定し、
前記出力温度が前記第１の出力温度と実質的に同じになるまで、前記熱媒体の前記出力温度を測定しながら、前記既知の低周波入力の電力値を減少させ、
前記出力温度が前記第１の出力温度と実質的に同じになったときの前記既知の低周波入力の電力値を決定し、
前記既知の低周波入力の前記所定の電力値と、前記出力温度が前記第１の出力温度と実質的に同じになったときの前記既知の低周波入力の電力値の差に基づいて、前記ＲＦ入力の電力を演算することを特徴とするＲＦ電力の測定方法。
【請求項１７】
ＲＦ電力測定用マイクロファブリケーテッド・カロリーメータを用いて実行される請求項１６に記載のＲＦ電力の測定方法。
【請求項１８】
前記可変低周波入力は、交流電圧源である請求項１７に記載のＲＦ電力の測定方法。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
７５〜９９．９５モルパーセントの１種または複数のフルオロモノマーと、０．０５〜２５モルパーセントの、式ＣＨ2＝ＣＨ−Ｏ−（ＣＯ）−Ｒｎ（式中、Ｒｎは、水素原子またはＣ1-4直鎖状もしくは分岐状の炭化水素である）を有する１種または複数のビニルエステルとを含むランダムコポリマーであって、
前記ビニルエステルモノマー単位の少なくとも４０モルパーセントが、前記コポリマーの中で、２個のフルオロモノマー単位の間の単一のモノマー単位として存在している、前記ランダムコポリマー。
【請求項２】
前記フルオロモノマーが、フッ化ビニリデン（ＶＤＦ）、フッ化ビニル（ＶＦ）、トリフルオロエチレン、テトラフルオロエチレン（ＴＦＥ）、エチレン  テトラフルオロエチレン、クロロトリフルオロエチレン（ＣＴＦＥ）、およびヘキサフルオロプロピレン（ＨＦＰ）、ならびにそれらの混合物、からなる群より選択される、請求項１に記載のランダムコポリマー。
【請求項３】
親水性コポリマーである、請求項１または２に記載のランダムコポリマー。
【請求項４】
前記フルオロモノマーが、７０〜１００重量パーセントのフッ化ビニリデンを含む、請求項１〜３のいずれかに記載のランダムコポリマー。
【請求項５】
前記ビニルエステルが、酢酸ビニルを含む、請求項１〜４のいずれかに記載のランダムコポリマー。
【請求項６】
前記ビニルエステルモノマー単位のモルパーセントが、０．５〜１５モルパーセントである、請求項１〜５のいずれかに記載のランダムコポリマー。
【請求項７】
前記ビニルエステルモノマー単位のモルパーセントが、１〜１０モルパーセントである、請求項６に記載のランダムコポリマー。
【請求項８】
請求項１に記載のランダムコポリマーを形成させるためのプロセスであって、
ａ）フルオロモノマーを含む初期モノマーチャージを仕込む工程、および
ｂ）重合が開始したら、前記反応器に、ビニルエステルモノマーをフルオロモノマーと共に共連続的にスターブ・フィードする工程、
の工程を含む、プロセス。
【請求項９】
前記初期モノマーフィードが、フルオロモノマーからなっている、請求項８に記載のプロセス。
【請求項１０】
前記重合プロセスにおいて、非フッ素化界面活性剤のみが使用される、請求項８または９に記載のプロセス。
【請求項１１】
請求項１に記載のフルオロポリマーを含む材料。
【請求項１２】
前記材料が、非水溶媒タイプの二次電池またはコンデンサー電極を形成させるのに使用される濾過膜、中空繊維濾過デバイス、およびスラリーバインダーから選択される、請求項１１に記載の材料。
【請求項１３】
前記スラリーバインダーが、
ａ）０．２〜１５０部の、請求項１に記載のフルオロポリマー；
ｂ）１０〜５００部の、１種または複数の粉体状電極形成物質；
ｃ）任意選択で、０〜１０部の、１種または複数の増粘剤；
ｄ）任意選択で、１種または複数のｐＨ調節剤；
ｅ）任意選択で、０〜１０部の、沈降防止剤および界面活性剤からなる群より選択される１種または複数の添加剤；
ｆ）任意選択で、０〜５部の、１種または複数の濡れ剤；
ｇ）任意選択で、０〜１５０部の、１種または複数の逃散性接着促進剤；
ｈ）１００部の水；
を含み、
すべての部は、１００重量部の水を基準にした重量部であり、前記組成物には、フルオロ界面活性剤をまったく含まない、
水系のスラリーである、請求項１２に記載の材料。
【請求項１４】
前記スラリーバインダーが、
ａ）０．１〜１５０部の、請求項１に記載のフルオロポリマー、
ｂ）１０〜５００部の、１種または複数の粉体状電極形成物質；
ｃ）１００部の、前記フルオロポリマーを溶解させることが可能な溶媒、
を含む溶媒系のスラリーである、請求項１２に記載の材料。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
動物性脂肪および植物油を含有する汚染物質含有生物学的組成物から、汚染物質を除去する方法であって、
（ａ）約７未満のｐＨを有する第１水溶液および酸溶液の第１混合物と、汚染物質含有生物学的組成物とを混合して、酸に富む生物学的組成物を生成する工程、
（ｂ）酸に富む生物学的組成物を遠心分離して、汚染物質が減少した酸に富む生物学的組成物と、汚染物質含有生物学的組成物から除去した汚染物質の一部を含有する水性廃棄物と、第１ラグ成分とを生成し、次いで第１ラグ成分の約９０（体積）％以上を汚染物質が減少した酸に富む生物学的組成物と組み合わせ、かつ第１ラグ成分の残余（体積で）を水性廃棄物と組み合わせる工程、
（ｃ）第１ラグ成分の約９０（体積）％以上を含む、汚染物質が減少した酸に富む生物学的組成物と、約７未満であるが第１水溶液のｐＨよりも高いｐＨを有する第２水溶液とを混合して、第２混合物を生成する工程、
（ｄ）第２混合物を遠心分離して、汚染物質が減少した生物学的組成物および第１水溶液を生成する工程、
（ｅ）ｐＨ中性水溶液と、汚染物質が減少した生物学的組成物とを混合して、第３混合物を生成する工程、ならびに
（ｆ）第３混合物を遠心分離して、第２水溶液と、動物性脂肪および植物油を含み汚染物質が除去された生物学的組成物とを生成する工程
を含む、方法。
【請求項２】
前記第１混合物が前記第２水溶液の一部を含む、請求項１に記載の方法。
【請求項３】
前記第２水溶液が、前記酸溶液をさらに含む、請求項１に記載の方法。
【請求項４】
前記汚染物質が、塩素含有化合物、窒素含有化合物、リン含有化合物、硫黄含有化合物、金属、およびこれらの任意の２つ以上の混合物からなる群から選択される物質である、請求項１に記載の方法。
【請求項５】
前記汚染物質含有生物学的組成物が、天然由来の脂肪酸および天然由来の脂肪酸エステルの１つまたは複数を含む、請求項１に記載の方法。
【請求項６】
前記汚染物質含有生物学的組成物が、藻類油、牛脂、ブラウングリース、カメリナ油、キャノーラ／ナタネ油、ヒマシ油、高品質ホワイトグリース、ヤシ油、コーヒー豆油、トウモロコシ油、魚油、大麻油、ジャトロファ油、アマニ油、カラシ油、パーム油、家禽脂肪、大豆油、ヒマワリ油、トール油、トール油脂肪酸、きり油、廃食用油、イエローグリース、およびこれらの任意の２つ以上の混合物からなる群から選択される物質を含む、請求項５に記載の方法。
【請求項７】
前記汚染物質含有生物学的組成物が、牛脂、魚油、家禽脂肪、廃食用油、イエローグリース、およびこれらの任意の２つ以上の混合物からなる群から選択される物質を含む、請求項６に記載の方法。
【請求項８】
動物性脂肪および植物油が、約０．５：１〜約９９：１の動物性脂肪：植物油の重量比で、前記汚染物質含有生物学的組成物中に存在する、請求項１に記載の方法。
【請求項９】
前記重量比が、約５：１〜約９０：１である、請求項８に記載の方法。
【請求項１０】
前記第１水溶液が、約５未満のｐＨを有する、請求項１に記載の方法。
【請求項１１】
前記酸溶液が、クエン酸、硫酸、リン酸、塩酸、硝酸、酢酸、炭酸、およびこれらの任意の２つ以上の混合物からなる群から選択される酸を含む、請求項１に記載の方法。
【請求項１２】
前記酸溶液が、酸溶液の総重量に基づき、約２０重量％〜約７５重量％のクエン酸を含む、請求項１１に記載の方法。
【請求項１３】
前記酸溶液が、酸溶液の総重量に基づき、約２０重量％〜約４０重量％のクエン酸を含む、請求項１２に記載の方法。
【請求項１４】
前記汚染物質が除去された生物学的組成物が、前記汚染物質の約５重量％未満を含む、請求項１に記載の方法。
【請求項１５】
前記汚染物質含有生物学的組成物および前記第１混合物が、約５：１〜約５０：１の質量比で混合される、請求項１に記載の方法。
【請求項１６】
前記汚染物質が減少した酸に富む生物学的組成物および前記第２水溶液が、約５：１〜約５０：１の質量比で混合される、請求項１に記載の方法。
【請求項１７】
前記汚染物質が減少した生物学的組成物および前記ｐＨ中性水溶液が、約５：１〜約５０：１の質量比で混合される、請求項１に記載の方法。
【請求項１８】
前記工程（ｄ）がさらに第２ラグ成分を生成し、そのうちの１０（体積）％以下が、汚染物質が減少した生物学的組成物と組み合わされ、かつ、その残余（体積で）が、前記第１水溶液と組み合わされる、請求項１に記載の方法。
【請求項１９】
前記工程（ｆ）がさらに第３ラグ成分を生成し、そのうちの１０（体積）％以下が、汚染物質が除去された生物学的組成物と組み合わされ、かつ、その残余（体積で）が、前記第２水溶液と組み合わされる、請求項１に記載の方法。
【請求項２０】
工程（ｂ）、（ｄ）、および（ｆ）が、ディスクスタック遠心分離機において独立して実施される、請求項１に記載の方法。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
タービン内の空気の漏出を防止するためのシステムであって、
ａ）タービンディスク及び動翼アセンブリであって、
タービンディスクから半径方向に延在する複数のディスクポストと、隣接するディスクポスト間の複数のディスクスロットとを備えるタービンディスクであって、第１の熱膨張率を有する第１の材料からなるタービンディスクと、
複数のタービン動翼であって、タービン動翼の１つが、各ディスクスロットの中に受けられ、第２の熱膨張率を有する第２の材料からなる複数のタービン動翼と、
複数のシールプレートであって、シールプレートの１つが、タービン動翼の半径方向内側に各ディスクスロット内に配置され、シールプレートが、ディスクポスト又はタービン動翼のいずれかの熱膨張率と実質的に同様の熱膨張率を有する材料からなり、シールプレートは、複数のディスクポスト又は複数のタービン動翼の少なくとも１つの熱膨張又は熱収縮と同様の量で熱膨張又は熱収縮するようになる、複数のシールプレートと
を備える、タービンディスク及び動翼アセンブリと、
ｂ）アセンブリの少なくとも一部分に結合され、ディスクスロットを封止するように構成されているシール部材であって、シール部材の第１の端部が、タービン動翼に結合し、シール部材の第２の端部が、タービンディスクに結合し、シール部材の第１の端部と第２の端部との間の中間部が、シールプレート及び複数のタービン動翼又は複数のディスクポストの１つに結合する、シール部材と
を備える、システム。
【請求項２】
シールプレートが第１の材料又は第２の材料の１つを含む、請求項１記載のシステム。。
【請求項３】
各シールプレートの形状の少なくとも一部分が、各ディスクスロットの少なくとも一部分と本質的に相補的である、請求項１又は請求項２記載のシステム。。
【請求項４】
アセンブリが、周囲温度の変化を経験する際に、シール部材が、アセンブリの少なくとも一部分の熱膨張又は熱収縮に追従し、ディスクスロットの封止を維持する、請求項１乃至請求項３のいずれか１項記載のシステム。
【請求項５】
シール部材が、各ディスクスロットの少なくとも一部分を包む、請求項１乃至請求項４のいずれか１項記載のシステム。
【請求項６】
中間部が、シールプレート及びディスクポストに結合し、
第１の端部が、タービン動翼の熱膨張に追従し、
第２の端部が、タービンディスクの熱膨張に追従し、
中間部が、シールプレート及びディスクポストの熱膨張に追従する、請求項１乃至請求項５のいずれか１項記載のシステム。
【請求項７】
各プレートの少なくとも一部分に隣接する、アセンブリ上に配置されたワイヤをさらに備える、請求項１乃至請求項６のいずれか１項記載のシステム。
【請求項８】
シール部材内に流路をさらに備え、ワイヤが流路内に配置される、請求項７記載のシステム。
【請求項９】
ワイヤが、各シールプレートの軸方向に向いた面に隣接している、請求項７記載のシステム。
【請求項１０】
ワイヤが、アセンブリの少なくとも一部分の熱膨張に追従する、請求項７記載のシステム。
【請求項１１】
タービン内の空気の漏出を防止する方法であって、
ａ）タービン動翼及びディスクアセンブリを組み立てるステップであって、アセンブリが、タービンディスクから半径方向に延在する複数のディスクポストと、隣接するディスクポスト間のディスクスロットとを含むタービンディスクであって、タービンディスク及びディスクポストが第１の熱膨張率を有する第１の材料からなる、タービンディスクと、複数のタービン動翼であって、各タービン動翼が第２の熱膨張率を有する第２の材料からなる複数のタービン動翼とを備えており、タービン動翼及びディスクアセンブリを組み立てるステップが、
ａ１）各ディスクスロット内に１つのタービン動翼を配置するステップと、
ａ２）各タービン動翼の半径方向内側の各ディスクスロット内に１つのシールプレートを配置するステップであって、各シールプレートが、ディスクポスト又はタービン動翼のいずれかの熱膨張率と実質的に同様の熱膨張率を有する材料からなり、シールプレートが、複数のディスクポスト又は複数のタービン動翼の少なくとも１つの熱膨張又は熱収縮と同様の量で熱膨張又は熱収縮する、ステップと
を含んでいる、ステップと、
ｂ）シール部材をアセンブリの少なくとも一部分に結合するステップであって、シール部材が各ディスクスロットの少なくとも一部分を封止する、ステップと、
ｃ）シール部材の第１の端部を動翼に結合するステップと、
ｄ）シール部材の第２の端部をディスクに結合するステップと、
ｅ）第１の端部と第２の端部との間のシール部材の中間部をプレート、及び複数の動翼又は複数のポストの１つに結合するステップと
を含む、方法。
【請求項１２】
アセンブリが環境温度の変化を経験する際に、シール部材が、アセンブリの少なくとも一部分の熱膨張又は熱収縮に追従し、スロットの封止を維持する、請求項１１記載の方法。
【請求項１３】
中間部をプレート及びポストに結合するステップをさらに含む、請求項１１又は請求項１２記載の方法。
【請求項１４】
結合するステップが、各スロットの少なくとも一部分をシール部材で包むステップをさらに含む、請求項１１乃至請求項１３のいずれか１項記載の方法。
【請求項１５】
各プレートの少なくとも一部分に隣接するアセンブリ上にワイヤを配置するステップをさらに含む、請求項１１乃至請求項１４のいずれか１項記載の方法。
【請求項１６】
ワイヤが、各プレートの軸方向に向いた面に隣接してさらに配置される、請求項１５記載の方法。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
エンジン駆動式溶接機統合装置であって、
溶接機ハウジングと、
クランクシャフトプーリーを駆動するように連結されると共に、アーク溶接電流を生成する発電機に連結され、前記溶接機ハウジング内に配設されたエンジンと、
前記エンジンによって回転されるエアコンプレッサー駆動プーリーに連結されるエアコンプレッサーと、
エンジン補機駆動プーリーに連結されるエンジン補機と、
前記エアコンプレッサープーリー及び前記エンジン補機プーリーと係合するベルトであって、前記エンジンが前記クランクシャフトプーリーを回転させると、該ベルトは、圧縮空気を生成するように前記エアコンプレッサーを駆動すると共に、前記エンジン補機を駆動するベルトとを備えるエンジン駆動式溶接機統合装置。
【請求項２】
エンジン駆動式溶接機統合装置であって、
クランクシャフトプーリーに連結されるエンジンと、
前記エンジンおよび発電機に連結されたオルタネータ駆動プーリーであって、該オルタネータプーリーが回転されると、前記発電機が電流を生成するようにしたオルタネータ駆動プーリーと、
前記エンジンに回転可能に連結されると共にエアコンプレッサーに連結されるエアコンプレッサー駆動プーリーとを備え、
前記クランクシャフトプーリー、前記オルタネータ駆動プーリー、前記エアコンプレッサー駆動プーリーは、ベルトを受承する各プーリーの中心が、ベルトを受ける他のプーリーの中心と同一平面にあるように前記エンジンに取り付けられているエンジン駆動式溶接機統合装置。
【請求項３】
エンジン駆動式溶接機統合装置であって、
クランクシャフトプーリーを駆動するように該クランクシャフトプーリーに連結されると共に、アーク溶接電流を生成する発電機に連結されるエンジンと、
前記エンジンによって回転されるエアコンプレッサー駆動プーリーに連結されるエアコンプレッサーと、
前記エンジンによって回転されるエンジン補機駆動プーリーに連結されるエンジン補機と、
前記エアコンプレッサープーリー及び前記エンジン補機プーリーと係合するベルトであって、前記エンジンが前記クランクシャフトプーリーを回転させると、該ベルトによって、圧縮空気を生成するように前記エアコンプレッサーが駆動されると共に、前記エンジン補機が駆動されるベルトとを備えるエンジン駆動式溶接機統合装置。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ウェイストゲートバルブに作用的に接続されたアクチュエータを包囲するハウジングであって、前記ハウジングの端部において圧潰シールで終端する、ハウジングと；
ターボチャージャー内のウェイストゲート開口部を規定する前記ターボチャージャーの表面に対してシール係合して前記圧潰シールを取り付けるために、前記ターボチャージャーの取付面に接続可能な少なくとも１つの取付部材と；
を備える、ターボチャージャーのためのウェイストゲート組立体であって、
前記ウェイストゲートバルブが、前記ウェイストゲート開口部と遠位の部分的に閉鎖された第１端部と、前記ウェイストゲート開口部と接近した開放された第２端部と、を有する細長いシリンダ状のスリーブを含んでおり、
前記圧潰シールが、前記シール係合によって永久的に変形され、且つ少なくとも前記少なくとも１つの取付部材と、前記ターボチャージャーの前記取付面と、の間の公差の変化を修正することを特徴とするウェイストゲート組立体。
【請求項２】
前記ハウジングが、前記ウェイストゲートバルブに作用的な関係で配置された窓を規定し、閉鎖位置では、前記ウェイストゲートバルブは、前記窓を閉鎖し、開放位置では、部分的又は完全に、前記窓は、前記ハウジングの入口と流体連通することを特徴とする請求項１に記載のウェイストゲート組立体。
【請求項３】
前記部分的に閉鎖された第１端部が、前記アクチュエータに作用的に接続されたロッドに接続されていることを特徴とする請求項１に記載のウェイストゲート組立体。
【請求項４】
前記部分的に閉鎖された第１端部が、複数の開口部を有する格子を含んでいることを特徴とする請求項１に記載のウェイストゲート組立体。
【請求項５】
前記アクチュエータが、ソレノイド及び電機子を備え、且つ外部電気デバイスと電気的に接続可能な電気コネクタをさらに備えていることを特徴とする請求項１に記載のウェイストゲート組立体。
【請求項６】
前記アクチュエータが、前記ウェイストゲートバルブを前記閉鎖位置に向かって付勢するための付勢力を有するバネをさらに備えていることを特徴とする請求項５に記載のウェイストゲート組立体。
【請求項７】
前記ウェイストゲートバルブの位置に対する前記アクチュエータの一部の位置を感知するための位置センサをさらに備えていることを特徴とする請求項５に記載のウェイストゲート組立体。
【請求項８】
前記電気コネクタが、前記位置センサに電気的に接続されていることを特徴とする請求項７に記載のウェイストゲート組立体。
【請求項９】
前記ハウジングが、前記アクチュエータと前記ウェイストゲートバルブとの間に配置された断熱材を含んでいることを特徴とする請求項１に記載のウェイストゲート組立体。
【請求項１０】
前記ウェイストゲート開口部が、前記ウェイストゲートバルブを包囲する前記ハウジングの一部と連続的に流体連通していることを特徴とする請求項１に記載のウェイストゲート組立体。
【請求項１１】
回転軸を規定する共通のシャフト上でともに作用的に結合されたタービン及びコンプレッサホイールを包囲するハウジングであって、前記タービンを収納する部分にウェイストゲート開口部を規定する、ハウジングと；
前記ウェイストゲート開口部に直接取り外し可能に取り付けられた使い捨て可能なウェイストゲート組立体であって、前記ウェイストゲート開口部からの排出ガスの流れを制御するためのウェイストゲートバルブを備える、ウェイストゲート組立体と；
を備えるターボチャージャー組立体であって、
前記ウェイストゲートバルブが、前記ウェイストゲート開口部と接近して据え付けられた開放された端部と、当該端部の反対側の部分的に開放された端部と、を規定し、
前記使い捨て可能なウェイストゲート組立体が、圧潰シールで終端し、前記圧潰シールが、シール係合を形成するために、前記使い捨て可能なウェイストゲート組立体によって前記ウェイストゲート開口部に対して永久的に且つ固定して変形されることを特徴とするターボチャージャー組立体。
【請求項１２】
前記圧潰シールが、Ｓ字状の断面を有することを特徴とする請求項１１に記載のターボチャージャー組立体。
【請求項１３】
前記ウェイストゲート組立体が、アクチュエータ及び自己調整センサをさらに含んでいることを特徴とする請求項１１に記載のターボチャージャー組立体。
【請求項１４】
前記自己調整センサが、前記ウェイストゲートバルブの位置に対する前記アクチュエータの一部の位置を感知するための位置センサを含んでいることを特徴とする請求項１３に記載のターボチャージャー組立体。
【請求項１５】
それを貫通する第１開口部及び第２開口部を有する取付プレートと；
タービンの出口端部に接続された前記取付プレートを有するターボチャージャーであって、前記第１開口部が前記タービンの軸方向出口通路と整列し、前記第２開口部が前記タービンの前記出口端部のウェイストゲート開口部と整列し、前記取付プレート及び前記ターボチャージャーが、前記ウェイストゲート開口部を前記第２開口部に接続する通路を規定する、ターボチャージャーと；
ウェイストゲートバルブを収納し且つ圧潰シールで終端するウェイストゲート組立体であって、前記ウェイストゲート組立体が、前記通路を開閉するために、前記ウェイストゲート開口部を前記取付プレートの前記第２開口部に接続する前記通路内に配置された前記ウェイストゲートバルブにより前記取付プレートに取り付けられ、前記圧潰シールが、シール係合を形成するために、前記タービンに対して永久的に変形され且つ前記ウェイストゲート開口部を取り囲む、ウェイストゲート組立体と；
を備えることを特徴とするターボチャージャー組立体。
【請求項１６】
前記取付プレートが、前記ターボチャージャーに取り外し可能に取り付けられ、前記ウェイストゲート組立体が、前記取付プレートに取り外し可能に取り付けられていることを特徴とする請求項１５に記載のターボチャージャー組立体。
【請求項１７】
前記ウェイストゲート組立体が、ソレノイド及び電機子を備えるアクチュエータを含んでおり、且つ外部電気デバイスと電気的に接続可能な電気コネクタをさらに備えることを特徴とする請求項１５に記載のターボチャージャー組立体。
【請求項１８】
前記ウェイストゲートバルブの位置に対する前記アクチュエータの一部の位置を感知するための位置センサをさらに備えていることを特徴とする請求項１７に記載のターボチャージャー組立体。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
物理的環境のテクスチャ共有型世界モデルを提示するための複合現実感経験共有システムであって、前記テクスチャ共有型世界モデルは、前記物理的環境において地理的に配置される複数のクラウドソース・構造データアイテムと、前記物理的環境において地理的に配置される複数のクラウドソース・テクスチャデータアイテムとを含み、当該複合現実感経験共有システムは、
プロセッサを備えるコンピューティングデバイスと、
前記コンピューティングデバイスの前記プロセッサによって実行される複合現実感経験共有プログラムと、
を備え、前記複合現実感経験共有プログラムは、
深度情報を含む前記複数のクラウドソース・構造データアイテムを受け取り、
前記複数のクラウドソース・構造データアイテムを一緒にまとめて、前記物理的環境の３Ｄ空間共有型世界モデルを生成し、
各テクスチャデータアイテムがタイムスタンプ付きの画像又はビデオを含む、前記複数のクラウドソース・テクスチャデータアイテムであって、少なくとも１つのホログラムと該ホログラムを説明するメタデータとを含む前記複数のクラウドソース・テクスチャデータアイテムを、複数のソースから受け取り、
時間フィルタパラメータのユーザ入力を受け取り、
前記複数のクラウドソース・テクスチャデータアイテムを前記時間フィルタパラメータによりフィルタして、クラウドソース・テクスチャデータアイテムの時間的にフィルタされたサブグループを生成し、
前記物理的環境の前記３Ｄ空間共有型世界モデルの表面に、前記クラウドソース・テクスチャデータアイテムの前記時間的にフィルタされたサブグループを適用して、前記物理的環境の前記テクスチャ共有型世界モデルを生成し、
前記物理的環境の前記テクスチャ共有型世界モデルを、ディスプレイデバイスによる表示のためにディスプレイプログラムに提供し、
前記物理的環境の前記テクスチャ共有型世界モデル内に前記ホログラムを配置する、
ように構成される、複合現実感経験共有システム。
【請求項２】
前記時間フィルタパラメータは、現在の時間よりも前の、以前の日付の時間に対応する、
請求項１に記載の複合現実感経験共有システム。
【請求項３】
前記複合現実感経験共有プログラムは、
前記複数のクラウドソース・構造データアイテムを前記時間フィルタパラメータによりフィルタして、クラウドソース・構造データアイテムの時間的にフィルタされたサブグループを生成し、
前記クラウドソース・構造データアイテムの前記時間的にフィルタされたサブグループを一緒にまとめて、前記物理的環境の前記３Ｄ空間共有型世界モデルを生成する
ように更に構成される、請求項２に記載の複合現実感経験共有システム。
【請求項４】
前記複合現実感経験共有プログラムは、
１つ以上の優先度ファクタに従って、前記複数のクラウドソース・テクスチャデータアイテムに優先順位を付ける
ように更に構成される、請求項１に記載の複合現実感経験共有システム。
【請求項５】
前記優先度ファクタは、忠実性と、時期と、ソースの信頼性と前記クラウドソース・テクスチャデータアイテムのソースの社会的近接性とからなるグループから選択される、
請求項４に記載の複合現実感経験共有システム。
【請求項６】
ディスプレイデバイスを介して物理的環境のテクスチャ共有型世界モデルを提示する方法であって、
前記物理的環境において地理的に配置され、かつ深度情報を含む、複数のクラウドソース・構造データアイテムを受け取るステップと、
前記複数のクラウドソース・構造データアイテムを一緒にまとめて、前記物理的環境の３Ｄ空間共有型世界モデルを生成するステップと、
前記物理的環境において地理的に配置される複数のクラウドソース・テクスチャデータアイテムを複数のソースから受け取るステップであって、該複数のクラウドソース・テクスチャデータアイテムの各々がタイムスタンプ付きの画像又はビデオを含み、前記複数のクラウドソース・テクスチャデータアイテムが、少なくとも１つのホログラムと該ホログラムを説明するメタデータとを含む、ステップと、
時間フィルタパラメータのユーザ入力を受け取るステップと、
前記複数のクラウドソース・テクスチャデータアイテムを前記時間フィルタパラメータによりフィルタして、クラウドソース・テクスチャデータアイテムの時間的にフィルタされたサブグループを生成するステップと、
前記物理的環境の前記３Ｄ空間共有型世界モデルの表面に、前記クラウドソース・テクスチャデータアイテムの前記時間的にフィルタされたサブグループを適用して、前記物理的環境の前記テクスチャ共有型世界モデルを生成するステップと、
前記物理的環境の前記テクスチャ共有型世界モデルを、前記ディスプレイデバイスによる表示のためにディスプレイプログラムに提供するステップと、
前記物理的環境の前記テクスチャ共有型世界モデル内に前記ホログラムを配置するステップ、
を含む、方法。
【請求項７】
前記複数のクラウドソース・テクスチャデータアイテムを、少なくとも前記ディスプレイデバイスのユーザ及び第三者ソースから受け取るステップ、
を更に含む、請求項６に記載の方法。
【請求項８】
前記複数のクラウドソース・テクスチャデータアイテムの各々は、前記複数のクラウドソース・構造データアイテムの１つ以上を照らす光と、前記物理的環境におけるオブジェクトの画像と、前記物理的環境におけるオブジェクトのビデオと、前記物理的環境のオーディオとからなるグループから選択される、
請求項６に記載の方法。
【請求項９】
前記複数のクラウドソース・構造データアイテムに、忠実性と、時期と、ソースの信頼性と、前記クラウドソース・データアイテムのソースの社会的近接性とのうちの１つ以上に従って優先順位を付けるステップ、
を更に含む、請求項６に記載の方法。
【請求項１０】
プロセッサによって実行されると、該プロセッサに請求項６乃至９のいずれか一項に記載の方法を実行させるコンピュータプログラム。
【手続補正書】
【提出日】平成29年1月13日(2017.1.13)
【手続補正１】
【補正対象書類名】明細書
【補正対象項目名】０００５
【補正方法】変更
【補正の内容】
【０００５】
虹彩検出などの生体識別方法において、より少ない程度で、顔認識、虹彩、および／または皮膚の色素沈着は、登録フェーズおよび将来の照会フェーズの双方において堅牢なデータを収集する能力に影響を与えることがある。色素沈着は、シグネチャの数学的ベクトルの値を定義する固有の構造的要素をマスクまたは隠すことができる。可視および赤外線などの多くの波長において生体データを収集する能力は、色素沈着の影響を低減し、生体認証方法のロバスト性を向上させる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，４８３，９２９号明細書
（特許文献２）  国際公開第２０１１／０３５１８８号
（特許文献３）  米国特許第５，４１３，１００号明細書
（特許文献４）  米国特許出願公開第２０１０／００１３５９３号明細書
（特許文献５）  欧州特許出願公開第１６１２７１２号明細書
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
マルチチャンネル音声コンテンツを表すビットストリームを生成する方法であって、前記方法は、
コンテンツ消費者への送信のためのマルチチャンネル音声コンテンツを生成することと、
前記マルチチャンネル音声コンテンツを生成するときに、前記音声コンテンツをレンダリングするために使用される音声レンダラーを識別する信号値を含む音声レンダリング情報を指定することと
を備え、前記信号値は、球面調和係数を複数のスピーカーフィードにレンダリングするために使用されるマトリックスを含む、方法。
【請求項２】
前記信号値は、前記ビットストリームが、球面調和係数を複数のスピーカーフィードにレンダリングするために使用されるマトリックスを含むことを示すインデックスを規定する２つ以上のビットを含む、請求項１に記載の方法。
【請求項３】
前記信号値はさらに、前記ビットストリームに含まれる前記マトリックスの行の数を規定する２つ以上のビットと、前記ビットストリームに含まれる前記マトリックスの列の数を規定する２つ以上のビットとを含む、請求項２に記載の方法。
【請求項４】
前記信号値は、音声オブジェクトまたは球面調和係数を複数のスピーカーフィードにレンダリングするために使用されるレンダリングアルゴリズムを指定する、請求項１に記載の方法。
【請求項５】
前記信号値は、音声オブジェクトまたは球面調和係数を複数のスピーカーフィードにレンダリングするために使用される複数のマトリックスの１つと関連するインデックスを規定する２つ以上のビットを含む、あるいは、前記信号値は、球面調和係数を複数のスピーカーフィードにレンダリングするために使用される複数のレンダリングアルゴリズムの１つと関連するインデックスを規定する２つ以上のビットを含む、請求項１に記載の方法。
【請求項６】
前記音声レンダリング情報を指定することは、前記ビットストリームで音声フレームごとに、前記ビットストリームで一回または前記ビットストリームから分離したメタデータから前記音声レンダリング情報を指定することを含む、請求項１に記載の方法。
【請求項７】
マルチチャンネル音声コンテンツを表すビットストリームを生成するように構成されるデバイスであって、前記デバイスは、
前記マルチチャンネル音声コンテンツを生成するときに、前記音声コンテンツをレンダリングするために使用される音声レンダラーを識別する信号値を含む音声レンダリング情報を指定するように構成される１つまたは複数のプロセッサを備え、前記信号値は、球面調和係数を複数のスピーカーフィードにレンダリングするために使用されるマトリックスを含む、デバイス。
【請求項８】
ビットストリームからマルチチャンネル音声コンテンツをレンダリングする方法であって、前記方法は、
前記マルチチャンネル音声コンテンツを生成するときに、前記音声コンテンツをレンダリングするために使用される音声レンダラーを識別する信号値を含む音声レンダリング情報を決定することと、
前記音声レンダリング情報に基づいて複数のスピーカーフィードをレンダリングすることと
を備え、前記信号値は、球面調和係数を複数のスピーカーフィードにレンダリングするために使用されるマトリックスを含む、方法。
【請求項９】
前記複数のスピーカーフィードをレンダリングすることは、前記信号値に含まれる前記マトリックスに基づいて前記複数のスピーカーフィードをレンダリングすることを備える、請求項８に記載の方法。
【請求項１０】
前記信号値は、前記ビットストリームが、球面調和係数を複数のスピーカーフィードにレンダリングするために使用されるマトリックスを含むことを示すインデックスを規定する２つ以上のビットを含み、
前記方法はさらに、前記インデックスに応答して前記ビットストリームから前記マトリックスを解析することを備え、
前記複数のスピーカーフィードをレンダリングすることは、前記解析されたマトリックスに基づいて前記複数のスピーカーフィードをレンダリングすることを備える、請求項８に記載の方法。
【請求項１１】
前記信号値はさらに、前記ビットストリームに含まれる前記マトリックスの行の数を規定する２つ以上のビットと、前記ビットストリームに含まれる前記マトリックスの列の数を規定する２つ以上のビットとを含み、
前記ビットストリームから前記マトリックスを解析することは、前記インデックスに応答し、行の数を規定する前記２つ以上のビットおよび列の数を規定する前記２つ以上のビットに基づいて前記ビットストリームから前記マトリックスを解析することを備える、請求項１０に記載の方法。
【請求項１２】
前記信号値は、音声オブジェクトまたは球面調和係数を前記複数のスピーカーフィードにレンダリングするために使用されるレンダリングアルゴリズムを指定し、
前記複数のスピーカーフィードをレンダリングすることは、前記指定されたレンダリングアルゴリズムを使用して前記音声オブジェクトまたは前記球面調和係数から前記複数のスピーカーフィードをレンダリングすることを備える、請求項８に記載の方法。
【請求項１３】
前記信号値は、音声オブジェクトまたは球面調和係数を前記複数のスピーカーフィードにレンダリングするために使用される複数のマトリックスの１つと関連するインデックスを規定する２つ以上のビットを含み、
前記複数のスピーカーフィードをレンダリングすることは、前記インデックスと関連する前記複数のマトリックスの前記１つを使用して前記音声オブジェクトまたは前記球面調和係数から前記複数のスピーカーフィードをレンダリングすることを備える、あるいは、
前記音声レンダリング情報は、球面調和係数を複数のスピーカーフィードにレンダリングするために使用される複数のレンダリングアルゴリズムの１つと関連するインデックスを規定する２つ以上のビットを含み、
前記複数のスピーカーフィードをレンダリングすることは、前記インデックスと関連する前記複数のレンダリングアルゴリズムの前記１つを使用して前記球面調和係数から前記複数のスピーカーフィードをレンダリングすることを備える、請求項８に記載の方法。
【請求項１４】
前記音声レンダリング情報を決定することは、前記ビットストリームから音声フレームごとに、前記ビットストリームから一回または前記ビットストリームから分離したメタデータから前記音声レンダリング情報を決定することを含む、請求項８に記載の方法。
【請求項１５】
ビットストリームからマルチチャンネル音声コンテンツをレンダリングするように構成されるデバイスであって、前記デバイスは、
前記マルチチャンネル音声コンテンツを生成するときに、前記音声コンテンツをレンダリングするために使用される音声レンダラーを識別する信号値を含む音声レンダリング情報を決定し、前記音声レンダリング情報に基づいて複数のスピーカーフィードをレンダリングするように構成される１つまたは複数のプロセッサを備え、前記信号値は、球面調和係数を複数のスピーカーフィードにレンダリングするために使用されるマトリックスを含む、デバイス。
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
生物学的サンプルの質を評価する方法であって、
(a) 前記サンプル中で表1、1'、2、2'、3、3'、4、5、5'、6、7、及び/又は8からの少なくとも1つのバイオマーカーの量を決定するステップ、及び
(b) 少なくとも1つのバイオマーカーの前記量を参照と比較するステップであって、それによって前記サンプルの質が評価される、ステップ
を含み、前記少なくとも1つのバイオマーカーは、グリセロール-3-ホスフェート（極性画分）を含む、方法。
【請求項２】
前記生物学的サンプルが、血液サンプルの処理の延長について評価され、かつ、前記少なくとも1つのバイオマーカーが、表1、1'、2及び/又は2'からのものである、請求項１に記載の方法。
【請求項３】
前記生物学的サンプルが、溶血について評価され又はさらに評価され、かつ、前記少なくとも1つのバイオマーカーが、表3又は3'からのものである、請求項１又は２に記載の方法。
【請求項４】
前記生物学的サンプルが、微小凝固について評価され又はさらに評価され、かつ、前記少なくとも1つのバイオマーカーが、表4からのものである、請求項１〜３のいずれか一項に記載の方法。
【請求項５】
前記生物学的サンプルが、血液細胞による混入について評価され又はさらに評価され、かつ、前記少なくとも1つのバイオマーカーが、表5又は5'からのものである、請求項１〜４のいずれか一項に記載の方法。
【請求項６】
前記生物学的サンプルが、不適切な保存について評価され又はさらに評価され、かつ、前記少なくとも1つのバイオマーカーが、表6からのものである、請求項１〜５のいずれか一項に記載の方法。
【請求項７】
前記生物学的サンプルが、不適切な凍結について評価され又はさらに評価され、かつ、前記少なくとも1つのバイオマーカーが、表7からのものである、請求項１〜６のいずれか一項に記載の方法。
【請求項８】
前記生物学的サンプルが、血液の凝固時間の延長について評価され又はさらに評価され、かつ、前記少なくとも1つのバイオマーカーが、表8からのものである、請求項１〜７のいずれか一項に記載の方法。
【請求項９】
前記少なくとも1つのバイオマーカーが、グルタメートを含む、請求項１〜８のいずれか一項に記載の方法。
【請求項１０】
前記少なくとも1つのバイオマーカーが、グリセレートを含む、請求項１〜８のいずれか一項に記載の方法。
【請求項１１】
ステップ(a)が、
(a) 前記サンプル中で表1、2、3、4、5、6、7及び/又は8からの少なくとも1つのバイオマーカーの量を決定するステップ
である、請求項１に記載の方法。
【請求項１２】
前記生物学的サンプルが、血液サンプルの処理の延長について評価され、かつ、前記少なくとも1つのバイオマーカーが、表1及び/又は2からのものである、請求項１１に記載の方法。
【請求項１３】
前記生物学的サンプルが、溶血について評価され、かつ、前記少なくとも1つのバイオマーカーが、表3からのものである、請求項１１又は１２に記載の方法。
【請求項１４】
前記生物学的サンプルが、微小凝固について評価され、かつ、前記少なくとも1つのバイオマーカーが、表4からのものである、請求項１１〜１３のいずれか一項に記載の方法。
【請求項１５】
前記生物学的サンプルが、血液細胞による混入について評価され、かつ、前記少なくとも1つのバイオマーカーが、表5からのものである、請求項１１〜１４のいずれか一項に記載の方法。
【請求項１６】
前記生物学的サンプルが、不適切な保存について評価され、かつ、前記少なくとも1つのバイオマーカーが、表6からのものである、請求項１１〜１５のいずれか一項に記載の方法。
【請求項１７】
前記生物学的サンプルが、不適切な凍結について評価され、かつ、前記少なくとも1つのバイオマーカーが、表7からのものである、請求項１１〜１６のいずれか一項に記載の方法。
【請求項１８】
前記生物学的サンプルが、血液の凝固時間の延長について評価され、かつ、前記少なくとも1つのバイオマーカーが、表8からのものである、請求項１１〜１７のいずれか一項に記載の方法。
【請求項１９】
前記参照が、不十分な質であることが知られている1つのサンプル又は複数のサンプルから得られる、請求項１〜１８のいずれか一項に記載の方法。
【請求項２０】
前記参照と実質的に同一であるサンプル中の少なくとも1つのバイオマーカーの量が、不十分な質を示し、一方、それとは異なる量が、十分な質を示す、請求項１９に記載の方法。
【請求項２１】
前記参照が、十分な質であることが知られている1つのサンプル又は複数のサンプルから得られる、請求項１〜１８のいずれか一項に記載の方法。
【請求項２２】
前記参照と実質的に同一であるサンプル中の少なくとも1つのバイオマーカーの量が、十分な質を示し、一方、それとは異なる量が、不十分な質を示す、請求項２１に記載の方法。
【請求項２３】
前記サンプルが、血漿、血液又は血清サンプルである、請求項１〜２２のいずれか一項に記載の方法。
【請求項２４】
生物学的サンプルの質を評価するためのデバイスであって、
(a) 表1、1'、2、2'、3、3'、4、5、5'、6、7、及び/又は8からの少なくとも1つのバイオマーカー、好ましくは表1、2、3、4、5、6、7及び/又は8の少なくとも1つのバイオマーカーについての検出器を含む、前記サンプルのための分析ユニットであって、前記検出器により、サンプル中の前記少なくとも1つのバイオマーカーの量の決定が可能となる、分析ユニットと、これに作動的に連結された、
(b) データ処理ユニット及びデータベースを含む評価ユニットであって、前記データベースが、保存された参照を含み、前記データ処理ユニットが、分析ユニットにより決定される少なくとも1つのバイオマーカーの量と保存された参照との比較を実施するための、かつ、それに基づいて質の評価が確立される出力情報を発生させるための、具体的に組み込まれたアルゴリズムを有する、評価ユニットと
を含み、前記少なくとも1つのバイオマーカーは、グリセロール-3-ホスフェート（極性画分）を含む、デバイス。
【請求項２５】
表1、1'、2、2'、3、3'、4、5、5'、6、7、及び/又は8からの少なくとも1つのバイオマーカー、好ましくは表1、2、3、4、5、6、7及び/又は8からの少なくとも1つのバイオマーカー、又はその検出剤の、サンプルの質を評価するための使用であって、前記少なくとも1つのバイオマーカーは、グリセロール-3-ホスフェート（極性画分）を含む、使用。
【請求項２６】
表1、1'、2、2'、3、3'、4、5、5'、6、7、及び/又は8からの少なくとも1つのバイオマーカー、好ましくは表1、2、3、4、5、6、7及び/又は8からの少なくとも1つのバイオマーカーのための検出剤、並びに好ましくは前記少なくとも1つのバイオマーカーについての参照を含む、生物学的サンプルの質を評価するためのキットであって、前記少なくとも1つのバイオマーカーは、グリセロール-3-ホスフェート（極性画分）を含む、キット。